(57)【要約】【課題】  従来の傘は中棒が硬性のため、雨風が強い時には、傘を向けての対応が遅れ雨ぬれの防止ができない。【解決手段】傘の中棒の中間より上方の所定の位置に、自在に屈曲を可能とする柔軟な弾性体Ｍを設けることにより、風方向に自在に傾くことを特徴とする。また屈曲を必要としない風のない雨天時に於いては、傘の不安定を防止するために下部中棒３に傘本体１と一体の上部中棒２の下部に設けられた上部支持体６を差し込み安定を図る。さらに傘の高さの調整が出来る。【選択図】図２
2019072442.tif 000002
【特許請求の範囲】
【請求項１】
傘本体（１）と上部中棒（２）とパイプ状の下部中棒（３）とハンドル（５）を備えてなる自在傘であって、
前記上部中棒（２）と下部中棒（３）の間に弾性体（Ｍ）が、設けられており、該弾性体（Ｍ）がパイプ状の下部中棒（３）の上方への露出状態とパイプ状の下部中棒（３）の内部に収納されての非露出状態とを可能とするように上下スライド可能に設けられていることを特徴とする自在傘。
【請求項２】
傘本体（１）と上部中棒（２）とパイプ状の下部中棒（３）と弾性体（Ｍ）と該弾性体（Ｍ）の上部と下部に連接して取り付け固定した上部支持体（６）と下部支持体（７）とハンドル（５）を備えてなる自在傘であって、
前記上部中棒（２）とその下部に設けられた上部支持体（６）と、その下部に設けられた弾性体（Ｍ）と、その下部に設けられた下部支持体（７）とが一体的に構成され棒状体（Ａ）が構成されており、
前記パイプ状の下部中棒（３）に前記棒状体（Ａ）が上下スライド自在に差し込まれており、
前記弾性体（Ｍ）が露出状態又は非露出状態を可能とし、
前記弾性体（Ｍ）の露出時における下部中棒（３）の上端（Ｋ１）と弾性体（Ｍ）の上端（Ｋ２）との間に出っ張り寸法（Ｌ１）又は前記弾性体（Ｍ）の引っ込め時における下部中棒（３）の上端（Ｋ１）と弾性体（Ｍ）の上端（Ｋ２）との間の引っ込み寸法（Ｌ２）の寸法調整を可能とすることで、
前記弾性体（Ｍ）の露出時において露出した弾性体（Ｍ）の屈曲によって傘本体（１）と一体の上部中棒（２）が傾斜し、
又は前記弾性体（Ｍ）の引っ込め時において傘本体（１）と一体の上部中棒（２）が傾斜しないことを特徴とする請求項１に記載の自在傘。
【請求項３】
前記上部支持体（６）の下部に上部支持体の突起（６ａ）が設けられており、該突起（６ａ）が前記弾性体（Ｍ）の上部に差し込み固定されており、
前記下部支持体（７）の上部に下部支持体の突起（７ａ）が設けられており、該突起（７ａ）が前記弾性体（Ｍ）の下部に差し込み固定されており、
上部中棒（２）と上部支持体（６）と弾性体（Ｍ）と下部支持体（７）とで一体的に構成された前記棒状体（Ａ）をパイプ状の下部中棒（３）内をスライド自在に上下させることによって傘本体（１）の高さを調整することを可能とすることを特徴とする請求項２に記載の自在傘。
【請求項４】
前記弾性体（Ｍ）がコイルバネ（Ｓ）であることを特徴とする請求項１〜３のいずれかに記載の自在傘。
【発明の詳細な説明】
【技術分野】
【０００１】    本発明は、風雨時、風向きに自在に傾く傘に関する。
【背景技術】
【０００２】  従来からの傘の中棒は金属製など硬性が高い部材であるがため、風雨の中では風の向きに傘を傾ける対応が遅れ雨ぬれを防止できなかった。
【先行技術文献】
【特許文献】
【０００３】
【特許文献１】特開２０１７−１０４１９９号  公報
【発明の概要】
【発明が解決しようとする課題】
【０００４】  本発明の自在傘は風雨の中でも風の向きに合わせて自在に傾きが可能で、しかも強風の中でも傘を上下に調整させて使い易い傘を提供することを提起する。
【課題を解決するための手段】
【０００５】  本発明の１は傘本体（１）と上部中棒（２）とパイプ状の下部中棒（３）とハンドル（５）を備えてなる自在傘であって、
前記上部中棒（２）と下部中棒（３）の間に弾性体（Ｍ）が設けられており、該弾性体（Ｍ）がパイプ状の下部中棒（３）の上方への露出状態とパイプ状の下部中棒（３）の内部に収納されての非露出状態とを可能とするように上下スライド可能に設けられていることを特徴とする自在傘。【０００６】  本発明の２は傘本体（１）と上部中棒（２）とパイプ状の下部中棒（３）と弾性体（Ｍ）と該弾性体（Ｍ）の上部と下部に連接して取り付け固定した上部支持体（６）と下部支持体（７）とハンドル（５）を備えてなる自在傘であって、
前記上部中棒（２）とその下部に設けられた上部支持体（６）と、その下部に設けられた弾性体（Ｍ）と、その下部に設けられた下部支持体（７）とが一体的に構成され棒状体（Ａ）が構成されており、
前記パイプ状の下部中棒（３）に前記棒状体（Ａ）が上下スライド自在に差し込まれており、
前記弾性体（Ｍ）が露出状態又は非露出状態を可能とし、
前記弾性体（Ｍ）の露出時における下部中棒（３）の上端（Ｋ１）と弾性体（Ｍ）の上端（Ｋ２）との間に出っ張り寸法（Ｌ１）又は前記弾性体（Ｍ）の引っ込め時における下部中棒（３）の上端（Ｋ１）と弾性体（Ｍ）の上端（Ｋ２）との間の引っ込み寸法（Ｌ２）の寸法調整を可能とすることで、
前記弾性体（Ｍ）の露出時において露出した弾性体（Ｍ）の屈曲によって傘本体（１）と一体の上部中棒（２）が傾斜し、
又は前記弾性体（Ｍ）の引っ込め時において傘本体（１）と一体の上部中棒（２）が傾斜しないことを特徴とする自在傘。【０００７】  本発明の３は前記上部支持体（６）の下部に上部支持体の突起（６ａ）が設けられており、該突起（６ａ）が前記弾性体（Ｍ）の上部に差し込み固定されており、
前記下部支持体（７）の上部に下部支持体の突起（７ａ）が設けられており、該突起（７ａ）が前記弾性体（Ｍ）の下部に差し込み固定されており、
上部中棒（２）と上部支持体（６）と弾性体（Ｍ）と下部支持体（７）とで一体的に構成された前記棒状体（Ａ）をパイプ状の下部中棒（３）内をスライド自在に上下させることによって傘本体（１）の高さを調整することを可能とすることを特徴とする自在傘。【０００８】  本発明の４は前記弾性体（Ｍ）がコイルバネ（Ｓ）であることを特徴とする自在傘。
【発明の効果】
【０００９】  本発明によれば風雨の中、図４にあるように下部中棒３の上端Ｋ１と弾性体Ｍの下端Ｂの同位置から弾性体の上端Ｋ２に出っ張り寸法Ｌ１を維持することにより、先行技術文献と同様傘を差すと即上部中棒２に一体の傘が反応して風力向に傾く効果がある。【００１０】  風雨の強弱によっては、下部中棒３に下部支持体７を差し込み上下スライドさせて、下部中棒の上端Ｋ１と弾性体の上端Ｋ２の出っ張り寸法Ｌ１を調整することより、弾性体Ｍの屈曲即ち上部中棒２の傾きの難易度の調整が可能となる効果がある。【００１１】  風の影響が少ない雨天時に於いては、中棒に柔軟性のある傘だとふらつき不安と抵抗を感じる、そのような時本発明に依れば、図５にあるように下部中棒３に支持体７と弾性体Ｍと上部中棒２に固定の上部支持体６を差し込み、下部中棒の上端Ｋ１から弾性体の上端Ｋ２に引っ込み寸法Ｌ２とすることにより、傘本体と一体の上部中棒２が傾斜しない効果がある。
【図面の簡単な説明】
【００１２】
【図１】無風状態の傘の立面図である。
【図２】風雨時に風方向に傾いた状態の立面図である。
【図３】弾性体露出時の詳細図である。
【図４】弾性体が風圧で屈曲した詳細図である。
【図５】弾性体内臓時の詳細図である。
【図６】弾性体出っ張り時、引っ込み時の詳細図
【図７】弾性体露出時の拡大図である。
【図８】弾性体内臓時の拡大図である。
【発明を実施するための形態】
【００１３】  本発明によれば図４にあるように下部中棒３内に下部支持体７に連接の弾性体の下端Ｂまでを差し込み、下部中棒の上端Ｋ１から弾性体の上端Ｋ２の間を弾性体Ｍの出っ張り寸法Ｌ１とすることにより弾性体Ｍが屈曲、よって傘本体１と一体の上部中棒２が傾く形態とした。
【００１４】  風の強弱によっては、下部中棒３に差し込みした棒状体Ａを上下スライドさせて弾性体Ｍの出っ張りを調整、屈曲の難易度の調整を図る形態とした。
【００１５】  自在に傾きを必要としない雨天時に於いては、弾性体Ｍは必要とせず図５にあるように下部中棒３に下部支持体７と弾性体Ｍと上部支持体６を差し込み、下部中棒の上端Ｋ１から弾性体Ｍの上端Ｋ２の間を引っ込み寸法Ｌ２とすることにより上部中棒２が傾斜しない形態とした。
【００１６】  中棒の部材はステンレスパイプ等が好適であり、寸法的には外経１６ミリ、肉厚０．８ミリ、内径１４．４ミリとすると、下部中棒３内に差し込みの下部支持体７に連接の弾性体のコイルバネＳの外経は１４ミリ程度が好適である。しかしながら前記記載の材料、寸法に限定されるものではない。
【００１７】  前記記載の寸法の部材を使用とした場合、内径１４．４ミリのステンレスパイプの下部中棒３の上端部分は、図７の拡大図にあるように弾性体のコイルバネＳの外形１４ミリに合わせるために０．４ミリの絞りＦとした、また弾性体Ｍに接続の支持体７の外経はステンレスパイプの内径に合わせた１４．４ミリの寸法とした、これにより紋りＦとした部分が抜け止ストッパーＮの役目を果たす形態となる。
【００１８】  下部支持体７と上部支持体６と突起の部材は樹脂等が好適であり、これにより弾性体のコイルバネＳの両端に接続となる突起の接続方法としては接着バネ等が好適であり、方法としては螺旋方向に回して捻じ込みすることにより螺旋を開く原理が働き挿入は容易くできる。
【実施例】
【００１９】  以下添付図面に従って実施例を説明する、図１は無風状態の傘、無風状態の雨天時に於いては図５にあるように下部中棒３の上端Ｋ１から弾性体の上端Ｋ２を引っ込み寸法Ｌ２として使用した。【００２０】  図２は風雨時に於いて傘本体１と一体の上部中棒２が傾いた状態の図、図４にあるように下部中棒３の上端Ｋ１から弾性体の上端Ｋ２間を出っ張り寸法Ｌ１として使用することにより傘本体１に一体の上部中棒２が自在に傾き風に対応した。【００２１】  図３は下部中棒３に下部支持体７と弾性体Ｍの下端Ｂまでを差し込みした状態の図である。このことにより下部中棒の上端Ｋ１から弾性体の上端Ｋ２までを弾性体Ｍの出っ張り寸法Ｌ１とすることにより弾性体Ｍが露出して風雨に備えての状態となる。【００２２】  図４は図２のＡ部の詳細を示す、パイプ状の下部中棒の上端Ｋ１から弾性体の上端Ｋ２が弾性体Ｍの出っ張り寸法Ｌ１となり、このことにより下部中棒３を主体に弾性体Ｍが屈曲、よって傘本体１と一体の上部中棒２が傾きした状態となる、このことにより風雨に向かって傘が自在に傾き雨を凌ぐことに効果がある。【００２３】  図５は図１のＡ部の詳細を示す、パイプ状の下部中棒３に上部中棒２に一体の上部支持体６と弾性体Ｍと支持体７とが差し込みされており、下部中棒の上端Ｋ１から弾性体の上端Ｋ２との間が弾性体Ｍの引っ込み寸法Ｌ２となるので、下部中棒３と上部中棒２とが一体の形態となり傘本体１の上部中棒が非傾斜となる。【００２４】図６は下部中棒３内に上部中棒２と弾性体Ｍと支持体７とが一体的に構成された棒状体Ａを差し込み下部中棒の上端Ｋ１を起点に上下スライドさせての、（ａ）は弾性体（Ｍ）が出っ張り寸法Ｌ１の詳細図であり、又（ｂ）は弾性体Ｍが引っ込み寸法Ｌ２の詳細図である．【００２５】  棒状体Ａを上下スライドさせて高さ調整するために、図６の（ａ）は下部支持体７の下部にスライドバーＣを設定，該スライドバーＣには数個の突起Ｅを設けた、又図６の（ｂ）は弾性体Ｍの引っ込み寸法Ｌ２とした下部支持体７の底部位置にスライド受けＤを設定、このスライド受けＤにはスライドバー用の貫通穴とこの貫通穴の一方にスライドバーの突起Ｅ用に貫通穴に添ってくぼみを設けた、又貫通穴内を横方向に対向位置くらいまでをスライドバーの突起Ｅを引っ掛けるための切欠きを設ける形態とした。【００２６】  棒状体Ａとともに一体のスライドバーＣをスライド受けＤ内に差し込み、該棒状体Ａをまわしてスライド受けＤ内の切欠きにスライドバーの突起Ｅを引っ掛けて、上下の位置を定めることとした。【００２７】  図７は下部中棒３の上端部分を絞りＦとし、又弾性体ＭのコイルバネＳに下部支持体７の突起７ａを接着捻じ込みした状態、下部中棒３内に内蔵の下部支持体７の外経をパイプ状の下部中棒３の内径に係合する寸法とすることにより、下部支持体７の抜け止ストッパーＮとなる拡大図である。【００２８】  図８は上部中棒２に設けられた上部支持体６を下部中棒３内に差し込むことにより、下部中棒３の上端部分の絞りＦと上部中棒２が結合した状態の拡大図である、下部中棒３の上端部分を絞りＦとしたことにより安定感を生むことができた。
【符号の説明】
【００２９】１    傘本体
２    上部中棒
３    パイプ状の下部中棒
５    ハンドル
６    上部支持体
７    下部支持体
Ｍ    弾性体
Ａ    棒状体
Ｌ１  弾性体の出っ張り寸法
Ｌ２  弾性体の引っ込み寸法
Ｓ    コイルバネ
Ｋ１  下部中棒の上端
Ｋ２  弾性体の上端
Ｂ    弾性体の下端
Ｎ    抜け止めストッパー
Ｆ    絞り
６ａ  上部支持体の突起
７ａ  下部支持体の突起
Ｃ    スライドバー
Ｄ    スライド受け
Ｅ    スライドバーの突起
【図１】
2019072442.tif 000003
【図２】
2019072442.tif 000004
【図３】
2019072442.tif 000005
【図４】
2019072442.tif 000006
【図５】
2019072442.tif 000007
【図６】
2019072442.tif 000008
【図７】
2019072442.tif 000009
【図８】
2019072442.tif 000010